(57)【要約】      （修正有）【課題】便秘症には、腸の働きが悪い弛緩性便秘と腸の働きが強い痙攣性便秘があり、それらは全く別のものと考えられていたが、精神的ストレスがもたらしているのではないかと考え、統一的に解消できる解消法を見つけだすことである。【解決手段】脳内の神経伝達物質であり、小腸の分泌物質であるセロトニンが双方で過少であると、弛緩性便秘を引き起こし、反対に、双方で過多であると、痙攣性便秘を引き起こすことが確認された。そこで、音楽療法の中の調整的音楽療法の手法を応用して、肉声による歌謡曲を聴いてもらうことで、「自分のライフ・スタイルにこだわる性格」を「あるがままの精神」を習得して、更に、以前であれば嫌悪の感情を持ったものに対しても受け入れられる心の状態を形作ることで、心の症状、つまり、鬱症状又は躁症状を改善し、セロトニンの放出・分泌のパタ−ンを反転させ、それぞれの便秘症を解消するものである。【選択図】なし【特許請求の範囲】
【請求項１】
主に３００ヘルツ以上の周波数の肉声だけで歌った歌謡曲をカセットテ−プ又は、ＣＤ、ＭＤ、ＩＣレコ−ダ−に内蔵した、音楽処方による便秘解消機。
【請求項２】
歌謡曲の再生の方法は、押しボタン式又はセンサ−内臓式若しくはヘッドホン式のいずれか一つ以上であることを特徴とする、請求項１の音楽処方による便秘解消機。
【発明の詳細な説明】
【発明の詳細な説明】
【技術分野】
【０００１】本発明はテノ−ル歌手かそれ以上の高音域を出す人の肉声がもたらす自律神経の調節機能による、便秘解消に関するものである。
【背景技術】
【０００２】便秘とは、一般的に三、四日以上排便がないものや残便感を感じるものを総称している。
そして、便秘を大きく分類すると、▲１▼一過性単純性便秘、▲２▼学習性便秘及び▲３▼病気が原因の症候性の便秘の三つに分類される。更に、▲２▼学習性便秘を細かく分類すると、▲２▼−１腸の働きが悪い弛緩性便秘と▲２▼−２腸の働きが強すぎる痙攣性便秘の二つに分類される。
このうち、▲１▼一過性単純性便秘は、旅行などで環境が変化したためとか、試験前日などの緊張感がもたらすもので、元の生活に戻れば自然と治ってしまうものであったり、▲３▼病気が原因の症候性の便秘は、原因の病気が癒えれば治ってしまうものである。【０００３】  従って、ここで便秘症として問題にするものは、▲２▼学習性便秘の▲２▼−１弛緩性便秘と▲２▼−２痙攣性便秘の二つである。
▲２▼−１弛緩性便秘は腸の働きが悪いということで、一般的な解消法としてしっかりと朝食を摂ること、腹筋運動や腹部マッサ−ジをすることが提唱されている。
他方▲２▼−２痙攣性便秘は精神的ストレスと関係があるとされ、リラクセ−ションなどにより自律神経の乱れを回復させる試みが行われている。【０００４】  しかし、便秘で悩んでいる人の多くは、上にみたような解消法では快癒することはなく、三、四日に一度の排便で良しとするか、便秘薬に頼って無理矢理排便しているのが実状のようである。
これを、心療内科的な表現を借りて言えば、▲２▼−１弛緩性便秘の人は快食・快便は健康の証し（理想像）→朝食摂取や腹筋運動で便秘解消に努める（自己肯定）→しかし、思うように解消しない（罪悪感）→朝食摂取や腹筋運動を止めてしまう（自己否定）→学説やハウツ−本を非難する（自己肯定他者否定）→自分は生まれ持っての辛い便秘症なんだと八方塞がり状態に陥る（自他否定）という一連の心理的葛藤があり、また再び今度こそ便秘を治したいという気持ちが頭をもたげてくると、始めの理想像を求めて、またもやこのサイクルを堂々巡りしてしまうのが実状のようである。
このサイクルを▲２▼−２痙攣性便秘の人に当てはめてみると、快食・快便は健康の証し（理想像）→精神的ストレスを貯めないようにリラクセ−ションに努める（自己肯定）→しかし、下痢性便秘が治らない（罪悪感）→機械体操などのリラクセ−ションを止めてしまう（自己否定）→学説やハウツ−本を非難する（自己肯定他者否定）→自分はまともな生活を送れないと絶望する（自他否定）という一連のサイクルを回っているようである。
【発明が解決しようとする課題】
【０００５】先に見たように、便秘症の人は理想像に向けての努力と実現しないことへの絶望の狭間を行き来する生活を送っているのだが、便秘症は会社や学校での人間関係や授業、四六時中耳にしているパワフルな楽器の音、資格試験のテ−プを聴いていることなどで、精神的ストレスが蓄積された状態に置かれていることにより発症していると言えるのではないかと考えられる。そこで、▲２▼−１弛緩性便秘の人には、精神的に心地よい３００ヘルツ以上の肉声だけによる陽気な歌謡曲を、▲２▼−２痙攣性便秘の人には、精神的に安定させる３００ヘルツ以上の肉声だけによるもの悲しい歌謡曲をトイレタイムに聴くことにより、二つのタイプの便秘症を解消しようとするものである。
【課題を解決するための手段】
【０００６】本発明者は、これらの課題を解決するために脳内にある神経伝達物質と小腸内の分泌物質の中に共通して見られる、セロトニンに着目して研究した。
セロトニンは脳内に放出される量が多過ぎると、気分が高揚し、他人に攻撃的になったり、又は、逆に少しも安心できないで不安な状態に陥ったりする躁症状が観察されている。
また、小腸内でセロトニンが大量に分泌されると下痢を起こすことが確認されている。
その反対に、セロトニンが脳内に放出される量が少な過ぎると、失望感を味わい、うつ症状になることが観察されている。
また、小腸内でセロトニンが少ししか分泌されないと、粘液や血管からの水分の浸み出しが十分でなく、便秘になることが確認されている。
要するに、脳内でのセロトニン放出過多と小腸内でのセロトニン分泌過多は、躁症状と下痢を引き起こし、便秘の分類で言えば▲２▼−２痙攣性便秘に対応することが解る。
反対に、脳内でのセロトニン放出過少と小腸内でのセロトニン分泌過少は、鬱症状と便秘を引き起こし、便秘の分類で言えば、▲２▼−１弛緩性便秘に対応していることが解る。
そして、心療内科的な表現のところの（自己肯定）の行動について見れば、弛緩性便秘の人は朝食摂取や腹筋運動という自分が積極的にやりたいことではなく、理想像に近づきたいからやっているに過ぎない行為であるので、気分的には仕方なしにやっており、鬱症状を改善することはないと言える。また、痙攣性便秘の人は、リラクセ−ションを実施しているが、自分の気分と同調している音楽を聴いたりすることが多いので、躁症状を改善することは少ないのではないかと推測される。
そこで、音楽療法の中にある、調整的音楽療法の手法を用いて、この便秘症の人達が陥っている、「自分のライフ・スタイルにこだわっている性格」をもっと素直に、「あるがままの精神」を習得して、「別の自分」を見つけだし、最終的には、便秘症の解消につなげようとするものである。
具体的には、楽器音にストレスを感じることがあることから、３００ヘルツ以上の肉声による、映像を結び易い歌詞の歌謡曲を１０分間流し、次いで、自分の体や行動に注意を振り向ける時間を与え、そして最後に、何か考えが浮かんでくると思いますので、その考えにしばらく浸ってもらいます。
このとき、弛緩性便秘の人には、陽気な歌謡曲を聴いてもらい、痙攣性便秘の人には、もの悲しい歌謡曲を聴いてもらうようにして、いつもの自分とは違った自分を発見できるように工夫します。
この音楽処方により、脳内に放出するセロトニンと小腸内に分泌するセロトニンの量を、それまでの放出・分泌パタ−ンとは逆のパタ−ンに反転させ、便秘症を解消させようとするものである。
【発明を実施するための最良の形態】
【０００７】以下、本発明について詳細に説明する。
▲２▼−１弛緩性便秘の人は、性格的に鬱症状になり易いので、軽快なマ−チやハッピ−エンドになるような歌謡曲を１０分間聴いてもらい、次いで、自分の体の感覚や行動に注意を向けてもらい、最後に、何か考えが浮かんできたら、その考えに浸ってもらう。
また、▲２▼−２痙攣性便秘の人は、性格的に躁症状になり易いので、悲しい歌や別離の歌を１０分間聴いてもらい、次いで、自分の体の感覚や行動に注意を向けてもらい、最後に、何か考えが浮かんできたら、その考えに浸ってもらう。
こうすることにより、以前であれば、嫌悪の感情を持ったものに対しても、あるがままのものとして、受け入れられる心の状態を形作ることができ、鬱症状が改善し、小腸のセロトニン分泌が活性化し、弛緩性便秘を解消させるのであり、また、躁症状が改善し、小腸のセロトニン分泌が抑制されて、痙攣性便秘を解消させるのである。
【発明の効果】
本発明の音楽処方による便秘解消機は、ストレスの負荷がかかる現代社会において、鬱症状又は躁症状という心の病が、実は小腸の分泌機能にまで影響を及ぼし、弛緩性便秘又は痙攣性便秘を引き起こしていることを突き止め、そのときの気分と反対の内容を持つ、肉声による歌謡曲を聴くことにより心の病を治し、それに対応する便秘をも解消するという、一石二鳥が期待できる。